(57)【要約】      （修正有）【課題】簡単な構造でカメラの画面への外来光による反射を防止する画面カバーを提供する。【解決手段】この画面カバー１００は、高強度の厚紙等からなる紙製であって、デジタルカメラ１０１の液晶画面１０２よりも若干大きめの開口２を有する枠体１と、この枠体１の開口２の上辺３に設けたカバー４と、このカバー４と開口２の側辺５との間に設けられ、折り畳むための折り曲げ部７を有する側面カバー６とを備えている。折り曲げ部７は、カバー４を開いた状態で当該折り曲げ部７が曲がってカバー４が下がってこないように、クリップ１５により補強する。画面カバー１００は、取付片１９の接着テープにより、デジタルカメラ１０１へ装着される。簡単な構造であり、カバー４を開いてクリップ１５で固定することで画面１０２を簡単にカバーできる。【選択図】図１
0003150679.tif 000002
【実用新案登録請求の範囲】
【請求項１】
中央に開口を有する方形の枠体と、
枠体の開口の上辺で曲げ自在に連結しているカバーと、
カバーの側辺と開口の横辺との間に設けられ、折り畳みのための折り曲げ部を有する側面カバーと、
側面カバーの折り曲げ部に対して補強すると共に側面カバーに取り付けられる補強手段と、
を備えたことを特徴とするカメラ画面カバー。
【請求項２】
更に、カメラに対して張り付ける面を有する片が、前記枠体の辺に折り曲げ可能に設けられていることを特徴とする請求項１に記載のカメラ画面カバー。
【請求項３】
前記補強手段は、平面状のクリップであり、側面カバーの一部に回転軸をもって固定され、前記折り曲げ部と回転軸との距離はクリップの長さより短いことを特徴とする請求項１又は２に記載のカメラ画面カバー。
【請求項４】
少なくとも前記枠体、カバー、側面カバーが紙製であることを特徴とする請求項１〜３のいずれか一つに記載のカメラ画面カバー。
【考案の詳細な説明】
【技術分野】
【０００１】
本考案は、外来光によるデジタルカメラの液晶画面の反射を防止して画面を見やすくするカメラ画面カバーに関するものである。
【背景技術】
【０００２】
従来からデジタルカメラを屋外で使用する際、日光が直接液晶画面に当たると、液晶画面が見え難くなっていた。このような問題に対して、従来では、特許文献１に開示されているような保護カバーが提案されていた。この保護カバーは、液晶画面に対して開閉自在のブラインドからなるカバーを装着するものであり、当該ブラインドの開閉により、モニター画面への外来光の反射を調整するものである。
【先行技術文献】
【特許文献】
【０００３】
【特許文献１】特開平１０−０９８６３５号公報
【考案の概要】
【考案が解決しようとする課題】
【０００４】
しかしながら、上記従来の保護カバーは構造が大変複雑であるという問題点があった。そこで、  本考案は、かかる問題点を解決するためになされたものである。
【課題を解決するための手段】
【０００５】
本考案のカメラ画面カバーは、中央に開口を有する方形の枠体と、枠体の開口の上辺で曲げ自在に連結しているカバーと、カバーの側辺と開口の横辺との間に設けられ、折り畳みのための折り曲げ部を有する側面カバーと、側面カバーの折り曲げ部に対して補強すると共に側面カバーに取り付けられる補強手段とを備えたことを特徴とする。
【０００６】
また、本考案のカメラ画面カバーは、上記考案において、更に、カメラに対して張り付ける面を有する片が、前記枠体の辺に折り曲げ可能に設けられていることを特徴とする。
【０００７】
また、本考案のカメラ画面カバーは、上記考案において、前記補強手段は、平面状のクリップであり、側面カバーの一部に回転軸をもって固定され、前記折り曲げ部と回転軸との距離はクリップの長さより短いことを特徴とする。
【０００８】
また、本考案のカメラ画面カバーは、上記考案において、少なくとも前記枠体、カバー、側面カバーが紙製であることを特徴とする。
【考案の効果】
【０００９】
本考案のカメラ画面カバーは、簡単な構造でデジタルカメラの液晶画面をカバーし、外来光による反射を防止できる。
【図面の簡単な説明】
【００１０】
【図１】この考案の実施の形態１に係るデジタルカメラの画面カバーを示す斜視図である。
【図２】図１に示した画面カバーを折りたたんだ状態を示す斜視図である。
【図３】図1に示した画面カバーを開いた状態を示す斜視図である。
【図４】図１に示した画面カバーを開いてカバーを固定した状態を示す斜視図である。
【図５】この考案の実施の形態２に係る画面カバーを示す斜視図である。
【図６】この考案の実施の形態３に係る画面カバーを示す斜視図である。
【考案を実施するための形態】
【００１１】
（実施の形態１）
図１は、この考案の実施の形態１に係るデジタルカメラの画面カバーを示す斜視図である。図２は、図１に示した画面カバーを折りたたんだ状態を示す斜視図である。図３は、図1に示した画面カバーを開いた状態を示す斜視図である。図４は、図１に示した画面カバーを開いてカバーを固定した状態を示す斜視図である。
【００１２】
この画面カバー１００は、高強度の厚紙等からなる紙製であって、デジタルカメラ１０１の液晶画面１０２よりも若干大きめの開口２を有する枠体１と、この枠体１の開口２の上辺３に設けたカバー４と、このカバー４と開口２の側辺５との間に設けられ、折り畳むための折り曲げ部７を有する側面カバー６とを備えている。前記カバー４は、方形であり前記上辺３と対向する下辺８には枠体１に対して仮固定するためのタグ部９が形成されており、当該タグ部９はカバー４の折り畳み状態で枠体１の下部に対して重なるようになる。この重なった部分には、面テープ１０が設けられており、これにより前記カバー４のタグ部９が枠体１に対して着脱可能となる。
【００１３】
また、側面カバー６は三角形であり、その一辺１１はカバー４の側縁１２につながっており、他の一辺１３は枠体１の側辺５とつながっている。三角形の頂部１４から底辺２３の中央に前記折り曲げ部７が形成されている。三角形の頂部１４は枠体１の上辺３と側辺５との交点に一致する。これにより、カバー４を上辺３にて曲げると当該折り曲げ部７が折り曲がり、側面カバー６が２つに折り畳まれ、カバー４が開口を塞ぐようになる。また、カバー４を持ち上げると側面カバー６が開き、開口２が開くと共に当該開口２を囲むようにカバー４及び側面カバー６がその姿勢を保持する。
【００１４】
また、折り曲げ部７には、カバー４を開いた状態で当該折り曲げ部７が曲がってカバー４が下がってこないように、補強手段１５により補強する。この補強手段１５は、例えば楕円形状のクリップ１５であり、一端が側面カバー６に回転可能に軸支されている。側面カバー６を開いていない状態では、クリップ１５が折り曲げ部７を避けて側面カバー６上に沿って配置され（図３中の点線で示す位置）、カバー４及び側面カバー６を開いたときには、図３に示すように、前記回転軸１６を中心に回転させ、図４に示すように、クリップ１５が折り曲げ部７を跨いで底辺２３近傍に挟まる。よって、前記折り曲げ部７と回転軸１６との距離はクリップ１５の長さより短い必要がある。これにより、折り曲げ部７はクリップ１５により補強されるので、側面カバー６を開いても元に戻ることなく開いた状態を保持できる。なお、クリップ１５はプラスチック製であるが、厚紙で製作しても良い。
【００１５】
また、枠体１の上端縁１７及び下端縁１８には、デジタルカメラ１０１に対して取り付けるためのタグ形状の取付片１９，２０が形成されている。この取付片１９，２０の内側には接着テープ２１，２２が設けられており、デジタルカメラ１０１への装着前は接着テープ２１，２２には剥離紙（図示省略）が設けられている。デジタルカメラ１０１に画面カバー１００を装着するときは、この剥離紙をはがし、取付片１９，２０を折り曲げて、デジタルカメラ１０１の上部及び下部に貼り付ける（図１参照）。このとき、枠体１の開口２が画面１０２を囲むように当該画面カバー１００の位置を調整する。
【００１６】
この考案は、上記のような簡単な構造であり、且つ、カバー４及び側面カバー６を開いてクリップ１５で固定することで画面１０２を簡単にカバーできる。
【００１７】
以上、この考案にかかる画面カバー１００によれば、簡単な構成により、デジタルカメラ１０１の画面１０２に外来光が入り反射光により当該画面１０２が見えにくくなるのを防止できる。また、簡単な構造で且つどのようなデジタルカメラ１０１にも装着できる。特に、紙で製作する場合には軽量にできる。
【００１８】
（実施の形態２）
図５は、この考案の実施の形態２に係る画面カバーを示す斜視図である。この画面カバー２００は、実施の形態１にかかる画面カバー１００と略同様の構成であるが、補強手段１５の構成が異なる。この画面カバー２００の補強手段１５は、金属のクリップであるガチャック２０１（登録商標：以下省略）を側面カバー６の底辺２３に装着した構造である。側面カバー６を閉じているときは、ガチャック２０１を底辺の折り曲げ部７を跨がないように位置させ（図中点線で示す）、カバー４を開いたときはガチャック２０１を底辺近傍に沿ってスライドさせて、前記折り曲げ部７を跨ぐように位置させる。これにより、ガチャック２０１により折り曲げ部７が補強されるので、カバー４を開いても側面カバー６が元に戻ることなく、その結果、カバー４が開いた状態を保持できる。
【００１９】
（実施の形態３）
図６は、この考案の実施の形態３に係る画面カバーを示す斜視図である。この画面カバー３００は、実施の形態１又は２と同じ構造であるが、デジタルカメラ１０１に対する装着方法が異なっている。この画面カバー３００は、枠体１の上辺１７及び下辺１８に設けた取付片１９，２０の両側に穴３０１を設け、上辺１７及び下辺１８の対向する穴の間にゴム３０２を渡した構成である。実施の形態１又は２のように、取付片１９，２０に接着テープ２１，２２がないので、一のデジタルカメラ１０１に装着したものを取り外して、別のデジタルカメラに簡単に装着できる。
【符号の説明】
【００２０】
１００  画面カバー
１０１  デジタルカメラ
１０２  画面
１  枠体
２  開口
４  カバー
６  側面カバー
７  折り曲げ部
９  タグ部
１５  補強手段
１９，２０  取付片
２１，２２  接着テープ
【図１】
0003150679.tif 000003
【図２】
0003150679.tif 000004
【図３】
0003150679.tif 000005
【図４】
0003150679.tif 000006
【図５】
0003150679.tif 000007
【図６】
0003150679.tif 000008